(57)【特許請求の範囲】
【請求項１】
外パイプ（２ｂ）と、その外パイプの内側にスライド自在に挿入された内パイプ（２ａ）と、この内パイプをスライドの各点に固定するロック機構（４）を組み合わせた噴管（２）と、前記外パイプ（２ｂ）の長手途中に装着されるホルダ（５）と、そのホルダと前記内パイプ（２ａ）の先端にそれぞれ設けられる噴霧ノズル（３）を有し、前記内パイプ（２ａ）をスライドさせて前記噴管（２）の長さを変化させる伸縮式散布竿であって、
前記ホルダ（５）に、溝（１０）又は切欠きが先端に形成された筒状差込部（９）を設け、その筒状差込部（９）を前記外パイプ（２ｂ）の長手途中に設けられた貫通孔（１１）に挿入し、当該筒状差込部の先端を前記外パイプ（２ｂ）の内部に突出させた伸縮式散布竿。
【請求項２】
前記筒状差込部（９）の先端の残存部を、凸形に彎曲したＲ面（９ａ）となした請求項１に記載の伸縮式散布竿。
【請求項３】
前記Ｒ面（９ａ）を、１つの筒状差込部（９）に対して筒状差込部の先端に設けた溝（１０）を間に挟んで中心対称に２箇所設けた請求項２に記載の伸縮式散布竿。
【発明の詳細な説明】
【技術分野】
【０００１】
この発明は、噴霧機の散布竿、特に、外パイプとスライド自在の内パイプを組み合わせた伸縮可能な噴管（管竿）を有し、その噴管の前記外パイプと内パイプの双方にそれぞれ噴霧ノズル（噴口）が設けられた伸縮式散布竿に関する。
【背景技術】
【０００２】
殺虫剤の噴霧などに利用される噴霧機の中に、ひとつの噴管に対して複数の噴霧ノズルを設けたものがある。その構造の噴霧機に用いる散布竿のひとつを、本出願人は下記特許文献１で提案している。
【０００３】
その散布竿は、外パイプとその外パイプの内側に挿入した内パイプとで１本の噴管を構成し、内パイプをスライドさせることで噴管を伸縮させる。外パイプの先端には締付けリングとそのリングで締付けて縮径させるクランプを設けており、外パイプから必要な長さ位置まで延びださせた内パイプをそのクランプで固定する。
【０００４】
この特許文献１の散布竿には、各々が噴霧ノズルを有する噴管を２本設け、そのうちの１本を上記伸縮構造にしたものと、共に伸縮構造にした２本の噴管を相反する方向に延びださせたものの２形態がある。
【０００５】
なお、外パイプの内側に内パイプを挿入し、その内パイプを抜き差しすることで長さを可変となした噴管は、市販品の中にも存在する。長さを単に変化させるだけのその噴管も、
伸縮させた内パイプの固定を、外パイプの先端に締付けリングとクランプを設けて行っている。
【先行技術文献】
【特許文献】
【０００６】
【特許文献１】特願２０１０−１３６９９４号
【発明の概要】
【発明が解決しようとする課題】
【０００７】
従来の伸縮式散布竿は、外パイプに挿入した内パイプをスライドさせて外パイプから引き出し、これによって噴管の長さを調節するものが一般的である。
【０００８】
この構造の伸縮式散布竿は、本出願人が特許文献１で提案しているように、外パイプの長手途中に孔を開けてそこにホルダを装着し、そのホルダにも噴霧ノズルを取り付けることで噴霧範囲を広げることができる。この構造では、外パイプに開けた孔が分岐路になって外パイプに設けた噴霧ノズルにも噴管の内部から薬剤などの噴霧液が流れる。
【０００９】
かかる伸縮式散布竿は、噴管の長さを途中までしか伸ばしていないときに内パイプが外パイプの長手途中に開けた孔の内側に位置してその孔を塞ぐことがある。内パイプは、外径を外パイプの内径よりも小さくしているが、重量や屈曲変形の影響などで外パイプ内において偏ることがあり、このようなときに外パイプの孔が塞がれる。
【００１０】
その内パイプによる孔の閉塞が起こると、流路抵抗の増加による流量損失が生じて外パイプの噴霧ノズルからの噴霧量が減少する。この現象が発生すると、噴霧液の噴射距離が短くなって噴霧範囲が狭まり、殺虫剤などの薬液の散布では、規定量の薬剤が所望領域の全域に散布されない状況が発生して期待する殺虫効果や殺菌効果が得られないなどの不具合が生じる。
【００１１】
この発明は、上記構造の伸縮式散布竿において、外パイプに設けた流路分岐用の孔が内パイプによって塞がれるトラブルが起こらないようにすることを課題としている。
【課題を解決するための手段】
【００１２】
上記の課題を解決するため、この発明においては、外パイプと、その外パイプの内側にスライド自在に挿入された内パイプと、この内パイプをスライドの各点に固定するロック機構を組み合わせた噴管と、前記外パイプの長手途中に装着されるホルダと、そのホルダと前記内パイプの先端にそれぞれ設けられる噴霧ノズルを有し、前記内パイプをスライドさせて前記噴管の長さを変化させる伸縮式散布竿に以下の改良を加えた。
即ち、前記ホルダに、溝又は切欠きが先端に形成された筒状差込部を設け、その筒状差込部を前記外パイプの長手途中に設けられた貫通孔に挿入し、当該筒状差込部の先端を前記外パイプの内部に突出させた。
【００１３】
なお、前記筒状差込部の先端の残存部は、凸形に彎曲したＲ面にすると好ましい。そのＲ面が、１つの筒状差込部に対して筒状差込部の先端に設けた溝を間に挟んで中心対称に２箇所存在しているとなお好ましい。
【発明の効果】
【００１４】
この発明の伸縮式散布竿は、外パイプに装着されるホルダに筒状差込部を設け、その筒状差込部を外パイプに設けられた貫通孔に、先端が外パイプの内部に突出するように挿入したので、外パイプ内で内パイプが偏ったときに、その内パイプが前記筒状差込部の先端に接触する。
【００１５】
その筒状差込部の先端には溝や切欠きが設けられており、その溝や切欠きを設けた部分は内パイプに対して非接触となる。そのために、その非接触部に外パイプの内部を筒状差込部の内部の通路孔に連通させる通路が確保され、内パイプによる分岐用貫通孔の閉塞が起こらない。
【００１６】
なお、筒状差込部の先端の残存部を、凸形のＲ面にしたものは、内パイプとの接触が
点接触或いはそれに近い状態になるため、内パイプが筒状差込部に接触していてもスムーズにスライドし、噴管の伸縮に悪影響がでない。
【００１７】
また、そのＲ面を１つの筒状差込部に対して中心対称に２面設けたものは、Ｒ面が１面しか無いもの（筒状差込部の先端に溝に代わる切欠きを設けたもの）と比較すると、内パイプが筒状差込部に接触したときに内パイプと筒状差込部間に面積の大きな通路が確保される。そのために、流量損失が小さく、その流量損失による噴射距離の短縮、噴霧範囲の縮小が回避される。また、Ｒ面が１面のものに比べると筒状差込部先端の欠損なども生じ難い。
【図面の簡単な説明】
【００１８】
【図１】この発明の伸縮式散布竿の一形態を、噴管を縮めた状態にして示す側面図
【図２】図１の伸縮式散布竿を噴管の中心の軸線に沿って切断した平面視の部分断面図
【図３】噴管の外パイプに装着するホルダの断面図
【図４】ホルダの２分割された分割体の斜視図
【図５】図４の分割体の突き合わせ側の端面図
【図６】図３のVI−VIに沿った断面図
【図７】図２のＡ部の部分破断拡大平面図
【図８】図２のVIII−VIIIに沿った位置の拡大断面図
【図９】図１の伸縮式散布竿を、噴管を伸ばした状態にして示す斜視図
【発明を実施するための形態】
【００１９】
以下、添付図面の図１〜図９に基づいて、この発明の伸縮式散布竿の実施の形態を説明する。図１及び図２に示すように、例示した伸縮式散布竿１は、噴管２に複数の噴霧ノズル３を取り付けてなる。
【００２０】
噴管２は、内パイプ２ａと、その内パイプを内側にスライド自在に挿入する外パイプ２ｂと、内パイプ２ａをスライドの各点に固定するロック機構４を組み合わせて構成されている。
【００２１】
外パイプ２ｂの長手途中の外周にはホルダ５が装着されており、そのホルダの両側と内パイプ２ａの先端にそれぞれ噴霧ノズル３が設けられている。
【００２２】
ホルダ５は、図３に示すように、対向面に半円の溝を有する２個の分割体５ａ、５ａを組み合わせて構成されており、図２、図７に示すように、２個の分割体５ａ、５ａで外パイプ２ｂを挟みつけて外パイプ２ｂの外周に固定される。分割体５ａ、５ａは、同一構造の部品であって、ねじ６（図３参照）で分解可能に締結される。
【００２３】
各分割体５ａ、５ａには、中心に通路孔７を有するノズル保持部８と、通路孔７の内端側の外周を囲う筒状差込部９が設けられている。通路孔７は内端が筒状差込部９の先端に開口している。
【００２４】
また、外端がノズル保持部８の外周に開口しており、ノズル保持部８の外周に外パイプ側の噴霧ノズル３がノズル保持部８を軸にして回転できるように装着される（図２、図７参照）。その外パイプ側の噴霧ノズル３には、薬剤などの噴霧液が外パイプ２ｂから通路孔７経由で供給される。
【００２５】
ホルダの分割体５ａに設けた筒状差込部９の先端（径方向の内端）には、図３及び図５〜図７に示した溝１０が設けられている。その溝１０の両側には筒状差込部の先端の一部が残存している。その残存部は、凸形に彎曲したＲ面９ａにしており、そのＲ面９ａが、１つの筒状差込部に対して筒状差込部の先端に２面存在する。
【００２６】
Ｒ面９ａは、図７のように、中心対称形状をなすものが２面あると好ましいが、片方を省略しても発明の目的は達成される。溝１０の設置に代えて筒状差込部９の先端の一部を切欠けば、１つの筒状差込部９に対してＲ面９ａが１つ設けられる形態を作り出すことができる。
【００２７】
筒状差込部９は、図７に示すように、外パイプ２ｂに設けられた貫通孔１１に外側から
挿通して先端を外パイプ２ｂの内部に突出させており、その先端よりも内側に噴管２の内パイプ２ａが通される。
【００２８】
筒状差込部９の先端に溝１０を設けたことで、図８に鎖線で示すように内パイプ２ａが一方の筒状差込部９側に偏ってその筒状差込部９の先端に接触しても、筒状差込部９と内パイプ２ａとの間に隙間が確保される。
【００２９】
そのために、その隙間を介して通路孔７が外パイプ２ｂの内部と連通し、外パイプ２ｂの内部に導入された噴霧液が、ノズル保持部８に外嵌された噴霧ノズル３に対して噴射距離に影響するような流量損失を招かずに流れて理想的な噴射、噴霧がなされる。
【００３０】
ロック機構４は、図２に示すように、外パイプ２ｂの先端に螺合させる締付けリング４ａと、内パイプ２ａに外嵌するクランプ（コレット）４ｂを組み合わせたものであって、両端が先細テーパのクランプ４ｂを締付けリング４ａで推進させ、内パイプ２ａと外パイプ２ｂ間に圧入する。
【００３１】
これによりクランプ４ｂが外周のテーパ面に作用する分力で縮径して内パイプ２ａを把持し、内パイプ２ａがスライドの各点に保持される。このロック機構４によるロックを解除して内パイプ２ａを長手方向にスライドさせて外パイプ２ｂから引き出し、噴管２が所望の長さになった位置でロック機構４による再ロックを行って内パイプ２ａを外パイプ２ｂに固定する。
【００３２】
このようにして噴管２の長さを変化させて噴霧領域の広さを調整する。なお、ロック機構４は、本発明を特徴づけるものではなく、周知の他の構造のロック機構と置き換えても構わない。
【００３３】
図１、図２の１２は、外パイプ２ｂに設けたグリップである。このグリップ１２は、内パイプ２ａの先端にも設けられている。図７の１３は、ホルダ５と外パイプ２ｂの突き合わせ界面をシールするＯリング、図７の１４は噴霧ノズル３とホルダ５との間及び噴霧ノズル３の構成部品間の界面をシールするシールリング、１５はノズル保持部の端部に嵌めるキャップ、１６は座金、１７はキャップ固定用のボルト、１８はボルト１７の外周をシールするＯリング、図２の１９は外パイプの２つのグリップ間に掛け渡した肩掛けベルトである。これ等の要素もこの発明を特徴づけるものではない。
【符号の説明】
【００３４】
１          伸縮式散布竿
２          噴管
２ａ        内パイプ
２ｂ        外パイプ
３          噴霧ノズル
４          ロック機構
４ａ        締付けリング
４ｂ        クランプ
５          ホルダ
５ａ        分割体
６          ねじ
７          通路孔
８          ノズル保持部
９          筒状差込部
９ａ        Ｒ面
１０        溝
１１        貫通孔
１２        グリップ
１３        Ｏリング
【要約】
【課題】各々が噴霧ノズルを有する外パイプと内パイプとで１本の噴管を構成し、内パイプをスライドさせることで噴管を伸縮させる伸縮式散布竿において、外パイプに設けた流路分岐用の孔が内パイプによって塞がれないようにすることを課題としている。
【解決手段】内パイプと外パイプを組み合わせた噴管２と、外パイプ２ｂの長手途中に装着されるホルダ５と、そのホルダと内パイプ２ａの先端にそれぞれ設けられる噴霧ノズル３を有する伸縮式散布竿のホルダ５に、溝１０が先端に形成された筒状差込部９を設け、その筒状差込部９を外パイプ２ｂの長手途中に設けられた貫通孔に挿入して外パイプ２ｂの内部に突出させ、その筒状差込部９の内側に内パイプ２ａを配置した。
【選択図】図５【図１】
0005204292.tif 000002
【図２】
0005204292.tif 000003
【図３】
0005204292.tif 000004
【図４】
0005204292.tif 000005
【図５】
0005204292.tif 000006
【図６】
0005204292.tif 000007
【図７】
0005204292.tif 000008
【図８】
0005204292.tif 000009
【図９】
0005204292.tif 000010